(57)【特許請求の範囲】
【請求項１】
キー操作を受付けるキーパッドと、文字や絵で情報を知らせるディスプレイと、音を出力するブザー等の警告装置と、電子化された現金である電子マネーを蓄積するＩＣカードと、各装置間の制御全般を司るシステムコントロール装置とからなる電子財布システムにおいて、
該システムコントロール装置と接続された該キーパッドにより入力され、該システムコントロール装置により該ＩＣカードに蓄積された該電子マネーの残高限界基準値であるショーテージ・リミットを設定されるメモリ手段を設け、
該ショーテージ・リミットは、複数の通貨を格納することが可能なＩＣカードに対応するため、各通貨の種別毎に複数設定可能であり、
該設定可能なショーテージ・リミットの最大数を超える、新しい通貨種別に対するショーテージ・リミットの設定は、該メモリ手段の空き領域または最も過去に設定されたショーテージ・リミットの領域に記録し、
該システムコントロール装置は該ＩＣカードから該ＩＣカードに蓄積された該電子マネーの残高を読み出したとき、その残高と該メモリ手段に記憶された該残高の通貨種別に応じたショーテージ・リミットとを比較することにより、該ＩＣカードに蓄積された該電子マネーの残高が少なくなったことを前記ディスプレイまたは該ブザー等の警告装置を用いて知らせることを特徴とする電子財布システム。
【請求項２】
前記メモリ手段のショーテージ・リミットの領域にはショーテージ・リミットと共にレベルを有し、該レベルはショーテージ・リミットの設定された時間の新しさの順番に設定し、該レベルの最も古いものが最も過去に設定された領域とすることを特徴とする請求項１記載の電子財布システム。
【請求項３】
前記電子マネーの残高が少なくなったことを知らせる装置は、ブザーやスピーカを用いた音声装置であることを特徴とする請求項１記載の電子財布システム。
【発明の詳細な説明】
【０００１】
【産業上の利用分野】
本発明は電子財布システムに係わり、特に、ＩＣカードに蓄積されている電子マネーの残高が，少なくなったことを容易に確認することを可能にする電子財布システムに関わる。
【０００２】
【従来の技術】
カードコネクタ１のＩＣカード（以下，ＩＣカード１）から，カードコネクタ２のＩＣカード（ＩＣカード２）へ電子マネーを転送した後，ＩＣカード１の残高を確認するには，ユーザーがＩＣカード１から電子マネーの残高を読出してディスプレイに表示させ，電子財布システムの使用者（以下，ユーザー）が自分の目で確認する。
【０００３】
【発明が解決しようとする課題】
ところで、上記した従来技術には、以下の点で問題がある。
【０００４】
（１）電子マネーの転送後，ＩＣカード１の残高が，少なくなり過ぎていないかどうかを知るには，ＩＣカード１の残高を表示させる操作が必要である。
【０００５】
（２）上記（１）の操作をしなかった場合，転送する電子マネーの入力ミスなどにより，ＩＣカード１の残高が少なくなり過ぎていても，ゼロになるまで気づかない可能性がある。
【０００６】
従って、本発明の解決すべき技術的課題は上記従来技術の持つ問題点を解消することにあり、その目的とするところは、ＩＣカードの残高が少なくなったことを，容易にユーザーに知らせることにある。
【０００７】
【課題を解決するための手段】
本発明は上記目的を達成するために，予めショーテージ・リミットを設定できるようにしておき，電子マネーを転送した後は，自動的にＩＣカードの残高を読出し，ショーテージ・リミットと比較してショーテージ・リミット以下になっていたら，この時の残高をディスプレイに警告メッセージと共に表示し，ブザーを鳴らすようにする。
【０００８】
また，複数の通貨に対応するため，通貨毎のショーテージ・リミットを登録可能なショーテージ・リミット・テーブルを用意する。そして，ショーテージ・リミットの設定時には，現在使用中の通貨に対応するショーテージ・リミットを変更し，対応する通貨が無ければ新たに登録する。登録可能な最大数を超えるならば，最も過去に登録されたショーテージ・リミットを削除してから，新たな登録を行う。ショーテージ・リミットの比較時には，現在使用中の通貨に対応するショーテージ・リミットと比較する。
【０００９】
【作用】
電子マネーの転送後は，ＩＣカードの残高を自動的に読出してショーテージ・リミットと比較し，これ以下になった時には，警告メッセージとブザーで知らせるので，ユーザーが自分でＩＣカードの残高を確認する手間が省ける。予めショーテージ・リミットを設定しておくことで，残高が少なくなったことを，残高がゼロになる前に容易に知ることができる。
【００１０】
また，ＩＣカードで複数の通貨を使用する場合でも，ショーテージ・リミット・テーブルを用意し，これへの登録及び削除を上記手段のように工夫することで，ショーテージ・リミット・テーブル用のメモリを余り多く取らなくても，残高が少なくなったことを知ることができる。
【００１１】
【実施例】
以下，本発明を図１から図３に示した実施例によって説明する。
【００１２】
図１は，本発明に係る電子財布システムの概要を示すブロック図である。本実施例のシステムは小型軽量薄型で，例えば，財布や電卓等のように，常時携帯することが可能なサイズにまとめられている。
【００１３】
図１において，１はシステム全体の動作を制御するシスコンであり，内部にメモリを持つ１チップマイコンで構成されている。２はユーザーからの操作を受付ける為のボタン群で構成されたキーパッド，３はドットマトリックス方式で文字列や絵を表示する部分と，予め用意された図形（アイコン）を表示する部分とで構成された液晶ディスプレイ，３はキー操作音や警告音などを発生させる圧電ブザーであり，これらはユーザーとのインターフェースをする部分である。５及び６は，ＩＳＯ/ＩＥＣ ７８１６規格に準拠したＩＣカードと電子マネーの情報交換をするカードコネクタ１及びカードコネクタ２であり，８及び９はこれらのカードコネクタで使用可能なＩＣカードである。７のバッテリはリチウムイオン電池及びアルカリ電池で構成されており，１から６の動作に必要な電力を供給している。
【００１４】
ユーザーがキーパッドを操作すると，シスコンがこれを解釈して，カードコネクタを介してＩＣカードと電子マネーに関する情報交換を行い，ディスプレイには情報交換が行われている最中である盲のメッセージ，或は電子マネーに関する情報そのものを，必要に応じて表示してユーザーに知らせる。これと同時にシスコンは，キーパッドが操作されたことを知らせる操作音や，情報交換中等に検知した異常を知らせる警告音を，ブザーを鳴らすことでユーザーに知らせる。また，シスコンは，システムが長時間使用されなくなったとき等，システムに電力を供給する必要が無くなった場合は，バッテリを制御してシステム全体の電力消費量を抑えるようにする。
【００１５】
シスコンは，表１に示すように，通貨とショーテージ・リミットとレベルの３要素から成るショーテージ・リミット情報を，３組持ったショーテージ・リミット・テーブルを，メモリ上に保持する。ここで，レベルが０のときは，そこにはショーテージ・リミット情報が登録されていないことを示し，これ以外の１以上３以下の値のときには，ショーテージ・リミット情報が登録されており，且つ値が大きいほど登録または比較された時間が新しいことを示す。
【００１６】
【表１】
0003687146.tif 000002
【００１７】
まず，電子マネー転送後の残高とショーテージ・リミットの比較処理を，図２のフローチャート図及び表１のショーテージ・リミット・テーブルを用いて説明する。
【００１８】
ユーザーがＩＣカード１からＩＣカード２へ，電子マネーの転送を指示すると，シスコンはこれを実行する。この実行を終了後，シスコンはＩＣカード１の残高を読出し（Ｓ１），ショーテージ・リミット・テーブルから対応するショーテージ・リミットを得て，そのレベルを最高値に変更する（Ｓ２，Ｓ３，Ｓ４）。この時，対応するショーテージ・リミットが無ければ，ショーテージ・リミットはゼロとする（Ｓ５）。例えば，ＩＣカードから読出した残高が＄５．００ならば，ショーテージ・リミット・テーブルに登録されているショーテージ・リミットは＄１０．００であり，この結果，＄１０．００のレベルは３，￥１，０００のレベルは２に変更される。また，読出した残高が£２．００ならば，通貨£に対するショーテージ・リミットは，ショーテージ・リミット・テーブルに登録されていないので£０．００となり，各々のショーテージ・リミットのレベルは変化しない。
【００１９】
そして，先に読出したＩＣカードの残高と，いま得たショーテージ・リミットを比較し，残高がショーテージ・リミット以下ならば，警告メッセージをディスプレイに表示し，ブザーで警告音を鳴らす（Ｓ６，Ｓ７，Ｓ８）。上の例で例えれば，残高＄５．００は，ショーテージ・リミット＄１０．００以下なので，警告メッセージの表示と警告音を発生し，また，残高£２．００ならば，ショーテージ・リミット£０．００より大きいので，警告は発生しない。
【００２０】
次に，ショーテージ・リミットの設定処理を，図３のフローチャート図及び表１から表３のショーテージ・リミット・テーブルを用いて説明する。
【００２１】
ユーザーがショーテージ・リミットの設定操作の開始を指示すると，シスコンは，キーパッドよりショーテージ・リミットを入力するように促すメッセージをディスプレイに表示する。ユーザーがショーテージ・リミットを入力すると，シスコンは，これが現在の通貨に対する新しいショーテージ・リミットであると判断する（Ｓ９）。そして，入力されたショーテージ・リミットの通貨が，ショーテージ・リミット・テーブルに登録されているか検索し，登録されていれば（Ｓ１０，Ｓ１１），そのショーテージ・リミットに変更し，レベルを最高値に変更する（Ｓ１２）。例えば，ショーテージ・リミット・テーブルが表１の状態で，入力されたショーテージ・リミットが＄２．５０ならば，結果的に，通貨＄のショーテージ・リミットは，＄１０．００から＄２．５０になりレベルは３，通貨￥のレベルは２に変更される。
【００２２】
Ｓ１０，Ｓ１１で，新しく入力されたショーテージ・リミットの通貨が，ショーテージ・リミット・テーブルに登録されていないときは，空き領域を検索し，空き領域がなければ（Ｓ１３，Ｓ１４），最も過去に登録又は比較をされ，レベルが最も低いショーテージ・リミットを削除して空き領域を作る（Ｓ１５）。そして，新しく入力されたショーテージ・リミットを，この空き領域に登録し，レベルを最高値に設定する（Ｓ１６）。例えば，ショーテージ・リミット・テーブルが表１であるときに，£５．００を登録すると，空き領域があるので表２になる。ここでは，通貨￥及び＄のレベルを一つ下げることで，£５．００のレベル３が最高値になるようにしている。
【００２３】
【表２】
0003687146.tif 000003
【００２４】
また，ショーテージ・リミット・テーブルが表２であるときに，ＤＭ１．００を登録すると，最もレベルの低い＄１０．００を削除し，通貨￥及び£のレベルを一つ下げて，ＤＭ１．００，レベル３を登録し表３となる。
【００２５】
【表３】
0003687146.tif 000004
【００２６】
【発明の効果】
以上のように本発明によれば，ＩＣカードの電子マネーを転送した場合に，以下の効果を奏する。
【００２７】
（１）ＩＣカードに残しておきたい最低金額を，予めショーテージ・リミットとして設定しておくことにより，電子マネーの転送後，ＩＣカードの残高が少なくなると，ユーザーは特別な操作無しで，容易にこれを知ることができる。
【００２８】
（２）ＩＣカードが複数の通貨に対応している場合でも，上記（１）とほぼ同様の操作性をユーザーに提供し，且つシスコン内のメモリの増加量も余り多くならないため，システムの低価格化が図れる。
【図面の簡単な説明】
【図１】本発明の１実施例に係る電子財布システムの概要を示すブロック図である。
【図２】本発明の１実施例に係る電子財布システムにおける，ＩＣカードの残高とショーテージ・リミットを比較する際の処理フローを示すフローチャート図である。
【図３】本発明の１実施例に係る電子財布システムにおける，ショーテージ・リミットを設定する際の処理フローを示すフローチャート図である。
【符号の説明】
１…シスコン
２…キーパッド
３…ディスプレイ
４…ブザー
５…カードコネクタ１
６…カードコネクタ２
７…バッテリ
８…ＩＣカード１
９…ＩＣカード２
【図１】
0003687146.tif 000005
【図２】
0003687146.tif 000006
【図３】
0003687146.tif 000007